【事件の表示】
　特願２０１８−２２６０４９「受皿容器」拒絶査定不服審判事件〔平成３１年　３月１４日出願公開、特開２０１９−　３７８４６、請求項の数（１３）〕について、次のとおり審決する。
【結　論】
　原査定を取り消す。
　本願の発明は、特許すべきものとする。
【理　由】
第１．手続の経緯 
　この出願（以下、「本願」という。）は、平成２７年２月２７日（優先権主張平成２６年３月３日）に出願された特願２０１５−３７９７８号の一部を平成３０年１１月３０日に新たな特許出願としたものであって、平成３０年１２月２６日に審査請求及び手続補正がされ、令和元年１１月１３日付け（発送日：同年１１月１９日）で拒絶の理由が通知され、令和２年１月１７日に意見書の提出及び手続補正がされ、令和２年４月２４日付け（発送日：同年４月２８日）で拒絶査定（以下、「原査定」という。）がされ、これに対し、令和２年７月２２日に拒絶査定不服審判が請求され、同時に手続補正がされたものである。
　
第２．令和２年７月２２日の手続補正についての補正却下の決定
［補正却下の決定の結論］
　令和２年７月２２日の手続補正書による手続補正（以下、「本件補正」という。）を以下の理由により却下する。
　
［理由］
　本件補正は、特許請求の範囲について、本件補正前の請求項１ないし１２に係る発明が対象としていた「受皿容器」という物を「受皿容器の開封構造」という物に変更する補正を含むところ、この補正は、請求項の削除、特許請求の範囲の減縮、誤記の訂正、明りょうでない記載の釈明のいずれにも該当せず、特許法第１７条の２第５項の各号に掲げる事項を目的とするものとは認められない。
　したがって、本件補正は、同法１７条の２第５項の規定に違反するものであるから、同法第１５９条第１項において読み替えて準用する同法第５３条第１項の規定により却下すべきものである。
　
第３．本願発明
　本件補正は，上記のとおり却下されたので、本願の請求項１ないし１３に係る発明は、令和２年１月１７日に補正された特許請求の範囲の請求項１ないし１３に記載された事項により特定されるとおりのものであるところ、請求項１ないし１３に係る発明（以下、「本願発明１ないし１３という。」）は、次のとおりである。
　
【請求項１】
　受皿本体部に内容物を収容したシート成形品である受皿と、該受皿本体部の上面開口を覆って装着されるシート成形品である蓋とからなる受皿容器であって、
　前記受皿は、前記受皿本体部の上面開口の開口周縁部から外側に張り出して設けられた受皿側張出し係止部を備えており、
　前記蓋は、前記受皿本体部の上面開口を覆う蓋本体部から外側に張り出して設けられ、
前記受皿側張出し係止部を抱え込んだ状態で係止させる蓋側張出し係止部を備えると共に、該蓋側張出し係止部から下方に延設して設けられた延設載置部を備えており、
　前記蓋側張出し係止部は、前記蓋の他の部分と比較して厚さが薄くなっていると共に、前記蓋本体部との接続角部から上方に立設する内壁部と、内壁部の上端縁部から外側に張り出す上壁部と、上壁部の外側縁部から下方に延設する外壁部とからなり、
　前記蓋が前記受皿に装着された状態において、前記蓋の前記延設載置部の下端部は、前記受皿の前記受皿本体部の底壁部よりも下方に配置されており、
　前記蓋側張出し係止部によって前記受皿側張出し係止部を係止した前記受皿の係止状態は、前記延設載置部を平坦な載置面に載置して、前記蓋を介して前記受皿を平坦な載置面に支持させた状態で、前記蓋に上方から押圧力を加えることによる、前記蓋側張出し係止部の変形によって、前記受皿側張出し係止部を押し出すことで、解除されるようになっており、係止状態が解除された前記受皿は、前記受皿本体部の上面開口の開口周縁部から外側に張り出して設けられた前記受皿側張出し係止部が、前記蓋側張出し係止部の下方に至るまで前記載置面に落とし込まれて、前記蓋から離間される受皿容器。
【請求項２】
　前記受皿側張出し係止部は、底壁部と周壁部とからなる前記受皿本体部の上面開口の開口周縁部に隣接する周壁上方辺部と、該周壁上方辺部の上端縁部から外側に張り出す張出し辺部と、該張出し辺部の外側縁部から下方に延設する垂下辺部とを備えている請求項１記載の受皿容器。
【請求項３】
　前記受皿本体部は、上面開口から底壁部に向けて内径を縮径させた、テーパー形状の周壁部を備えている請求項１又は２記載の受皿容器。
【請求項４】
　前記受皿側張出し係止部は、底壁部と周壁部とからなる前記受皿本体部の上面開口の開口周縁部に隣接する周壁上方辺部を含んで形成されており、該周壁上方辺部は、前記蓋本体部と前記蓋側張出し係止部との接続角部又は前記蓋側張出し係止部の内壁部に当接して係止された状態となっている請求項１〜３のいずれか１項記載の受皿容器。
【請求項５】
　前記周壁上方辺部は、テーパー形状または垂直形状、もしくはこれらの両形状を含んだ形状を備えている請求項４記載の受皿容器。
【請求項６】
　前記蓋は、前記受皿よりも厚さが薄くなっている請求項１〜５のいずれか１項記載の受皿容器。
【請求項７】
　前記蓋の前記蓋本体部に、上方向に盛り上がった押出誘導部が設けられている請求項１〜６のいずれか1項記載の受皿容器。
【請求項８】
　前記蓋に押圧力を加えるための位置を示す、文字、図等によるマーキングが施されている請求項１〜７のいずれか１項記載の受皿容器。
【請求項９】
　前記蓋本体部の周縁部分に、径方向外側に向けて上方に傾斜するテーパー状接続部が形成されており、前記蓋が前記受皿に装着された状態において、該テーパー状接続部と、前記受皿本体部の周壁部の上端部分との間に、空間が保持されている請求項１〜８のいずれか１項記載の受皿容器。
【請求項１０】
　前記蓋の前記延設載置部の下端周縁部から外側に張り出して、周縁補強部が設けられている請求項１〜９のいずれか１項記載の受皿容器。
【請求項１１】
　前記受皿側張出し係止部は、前記受皿本体部の上面開口の開口周縁部に隣接する周壁上方辺部と、該周壁上方辺部の上端縁部から外側に張り出す張出し辺部と、該張出し辺部の外側縁部から下方に垂下する垂下辺部とを有している請求項１〜１０のいずれか１項記載の受皿容器。
【請求項１２】
　前記受皿及び前記蓋は、円形状の平面形状を有している請求項１〜１１いずれか１項記載の受皿容器。
【請求項１３】
　受皿本体部に内容物が収容されるシート成形品である受皿と、該受皿本体部の上面開口を覆って装着されるシート成形品である蓋とからなる受皿容器であって、
　前記受皿は、前記受皿本体部の上面開口の開口周縁部から外側に張り出して設けられた受皿側張出し係止部を備えており、
　前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており、
　前記蓋側張出し係止部は、前記蓋の他の部分と比較して厚さが薄くなっていると共に、前記蓋本体部との接続角部から上方に立設する内壁部と、内壁部の上端縁部から外側に張り出す上壁部と、上壁部の外側縁部から下方に延設する外壁部とからなり、
　前記蓋が前記受皿に装着された状態において、前記蓋の前記延設載置部の下端部は、前記受皿の前記受皿本体部の底壁部よりも下方に配置されており、
　前記蓋側張出し係止部によって前記受皿側張出し係止部を係止した前記受皿の係止状態は、前記延設載置部を平坦な載置面に載置して、前記蓋を介して前記受皿を平坦な載置面に支持させた状態で、前記蓋に上方から押圧力を加えることによる、前記蓋側張出し係止部の変形によって、前記受皿側張出し係止部を押し出すことで、解除されるようになっており、係止状態が解除された前記受皿は、前記受皿本体部の上面開口の開口周縁部から外側に張り出して設けられた前記受皿側張出し係止部が、前記蓋側張出し係止部の下方に至るまで前記載置面に落とし込まれて、前記蓋から離間される受皿容器。
　
第４．原査定の拒絶の理由
　原査定の拒絶の理由の概要は以下のとおりである。
　
　本願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　記
　
・請求項　１
・引用文献等　１、２、４ないし６
　
・請求項　２ないし７
・引用文献等　１、２、４ないし７
　
・請求項　８ないし１３
・引用文献等　１ないし７
　
　＜引用文献等一覧＞
１．特開平１１−１１５９５５号公報
２．特開２００２−１１９３２６号公報
３．実願昭６１−８３５０１号（実開昭６２−１９４５５６号）のマイクロフィルム
４．実願昭５１−２５２９１号（実開昭５２−１１８７３５号）のマイクロフィルム
５．実公昭４７−３０６８号公報（周知技術を示す文献）
６．実願昭６２−３５６５３号（実開昭６３−１４４４５４号）のマイクロフィルム（周知技術を示す文献）
７．特開２０１０−１０５７号公報（周知技術を示す文献）
　
第５．引用文献、引用発明
１．原査定の拒絶の理由に引用した特開平１１−１１５９５５号公報（以下、「引用文献１」という。）には、「押圧開封構造を有した包装用容器」の発明に関して、図面とともに以下の事項が記載されている（下線は当審にて付与。２．ないし７．についても同様。）。
（１）「【０００１】
【産業上の利用分野】本発明は、容器本体とこれに嵌合される蓋体とからなる包装用容器に関し、特に、蓋体の開封を簡単に行えるようにした包装用容器に関するものである。
【０００２】
【従来の技術】
容器本体と、これに嵌合される蓋体とからなる包装用容器は、その各部を、合成樹脂シートを型成形することにより製造されるものであり
【０００３】
このような容器本体に嵌合された蓋体は、容器本体内の収納物を取り出す場合には、開封、つまり取り外しを行わなければならないが、その開封を行い易くするために、一般的には図１にも示すような指掛部が、容器本体側か蓋体側かのいずれかに形成してある
【０００４】・・・
【０００５】そこで、
本発明者は、この種の合成樹脂シートによって製造される包装用容器の利便性はそのままにして、蓋の開封を簡単に行えるようにするにはどうしたらよいか、について種々検討を重ねてきた結果、本発明を完成した
（２）「【０００８】
【課題を解決するための手段】以上の課題を解決するために、本発明の採った手段は、後述する実施の形態中において使用する符号を付して説明すると、「
収納部を有する容器本体１０と、この容器本体１０のスカート部１５と係止する係止部２１を形成した蓋体２０とからなる包装用容器１００であって、蓋体２０を、容器本体１０に対する嵌合時に上縁フランジ１１上に位置することになる蓋フランジ２２と、この蓋フランジ２２の内方に延在してその下方に押下空間１２を形成する押下部２３と、この押下部２３の内端に位置する境界線部２４を介して蓋上面２６に向けて立ち上がる傾斜側壁２５とを備えたものとして蓋上面２６を押圧したとき、その押圧力が傾斜側壁２５及び境界線部２４を介して押下部２３に伝えられ、この押下部２３の押下によって蓋フランジ２２を上縁フランジ１１から浮き上がらせ、これにより、係止部２１による係止を解除して蓋開封を行えるようにしたことを特徴とする押圧開封構造を有した包装用容器１００
【０００９】すなわち、本発明に係る包装用容器１００においては、図１に示すように、蓋体２０における蓋上面２６の一部を押圧することにより、図４中の点線にて示すように、
蓋フランジ２２の内側に位置している押下部２３を押し下げ得るようにして、これにより、蓋体２０側の蓋フランジ２２の外縁に形成してある係止部２１が、容器本体１０側のスカート部１５から外れるようにした
（３）「【００１２】以上のことにより、図４中の点線にて示したように、容器本体１０側のスカート部１５と蓋体２０側の蓋フランジ２２との間には両者を大きく分ける空間が形成されることになるから、使用者はこの空間内に指を入れるか、指掛部２８に指を掛けて蓋体２０の開封を行うのである。この開封は、図１に示した蓋上面２６の一部を押圧するという簡単な操作によって行えるのであるから、老人や幼児のような力の弱い人や、あるいは視力の衰えた人でも容易かつ確実に行うことができるのである。」
（４）「【００１７】
図１には、合成樹脂シートを使用して真空または圧空成形した容器本体１０及び蓋体２０からなる包装用容器１００の平面図が示してあり
【００１８】さて、このような包装用容器１００を構成している容器本体１０及び蓋体２０は、図２に示したように、容器本体１０のスカート部１５に、蓋体２０の蓋フランジ２２の外縁側にアンダーカット部として形成した係止部２１を係止させることにより一体化されるものであり、
容器本体１０が収納空間を有することは当然として、蓋体２０に後述の傾斜側壁２５を形成することにより、当該蓋体２０内にも収納空間を形成したものである
本実施形態においては、容器本体１０側の上縁フランジ１１、蓋体２０側の蓋フランジ２２がそれぞれ全周にわたって形成してあり、
指掛部２８が形成してあるが、この指掛部２８はなくてもよい
【００１９】・・・
【００２０】一方、
蓋体２０についてみてみると、図３及び図４に示したように、その少なくとも係止部２１に近接する部分に、容器本体１０に対する嵌合時に上縁フランジ１１上に位置することになる蓋フランジ２２と、この蓋フランジ２２の内方に延在してその下方に押下空間１２を形成する押下部２３と、この押下部２３の内端に位置する境界線部２４を介して蓋上面２６に向けて立ち上がる傾斜側壁２５とが形成してある。
（５）「【００２３】また、
図６には、さらに他の実施例に係る包装用容器１００が示してある。この包装用容器１００においては、蓋体２０側の押下部２３と傾斜側壁２５とを下方に折り曲げたものであり、これにより、境界線部２４がより一層下方に位置するようにしてある。従って、蓋上面２６を押圧したときの力によって、押下部２３の内端側を押下空間１２内に引きずり込みし易くなっており、蓋体２０の開封をより確実に行えるようにしたものである。
　
　前記（１）ないし（５）に摘記した事項及び【図１】ないし【図４】、【図６】の図示内容から、「容器本体１０は、その上面開口の開口周縁部から外側に張り出して設けられた上縁フランジ１１と、該上縁フランジ１１の下方に延設して設けられたスカート部１５とを備えていること」、「蓋体２０は、前記容器本体１０の上面開口を覆う押下部２３と、この押下部２３の内端に位置する境界線部２４を介して蓋上面２６に向けて立ち上がる傾斜側壁２５とを備えるとともに、前記押下部２３から外側に張り出して設けられ、前記蓋体２０と前記容器本体１０の嵌合時に、前記容器本体１０の上縁フランジ１１上に位置することになる蓋フランジ２２と、前記上縁フランジ１１及び前記スカート部１５を抱え込んだ状態で係止する係止部２１を備えると共に、該係止部２１から下方に延設して設けられた指掛部２８を備えていること」が把握されることを踏まえると、引用文献１には、次の発明及び事項（以下、「引用発明」及び「引用文献１事項」という。）が記載されているといえる。
　
《引用発明》
　合成樹脂シートを使用して真空または圧空成形したものであって、収納物を収容した収納部を有する容器本体１０と、合成樹脂シートを使用して真空または圧空成形したものである蓋体２０と、からなる包装用容器１００において、
　前記容器本体１０は、その上面開口の開口周縁部から外側に張り出して設けられた上縁フランジ１１と、該上縁フランジ１１の下方に延設して設けられたスカート部１５とを備えており、
　前記蓋体２０は、前記容器本体１０の上面開口を覆う押下部２３と、この押下部２３の内端に位置する境界線部２４を介して蓋上面２６に向けて立ち上がる傾斜側壁２５とを備えるとともに、前記押下部２３から外側に張り出して設けられ、前記蓋体２０と前記容器本体１０の嵌合時に、前記容器本体１０の上縁フランジ１１上に位置することになる蓋フランジ２２と、前記上縁フランジ１１及び前記スカート部１５を抱え込んだ状態で係止する係止部２１を備えると共に、該係止部２１から下方に延設して設けられた指掛部２８を備えており、
　前記蓋上面２６を押圧したとき、その押圧力が前記傾斜側壁２５及び境界線部２４を介して前記押下部２３に伝えられ、この押下部２３の押下によって前記蓋フランジ２２を前記上縁フランジ１１から浮き上がらせ、これにより、前記係止部２１による係止を解除して蓋開封を行えるようにした、包装用容器１００。
　
《引用文献１事項》
　上記引用発明において、蓋体２０側の押下部２３と傾斜側壁２５とを下方に折り曲げて、境界線部２４がより一層下方に位置するようにすること。
　
２．原査定の拒絶の理由に引用した特開２００２−１１９３２６号公報（以下、「引用文献２」という。）には、「レフィル容器」の発明に関して、図面とともに以下の事項が記載されている。
（１）「【請求項１】  
化粧料が装填された中皿を収納するレフィル容器において、
前記化粧料が露出した露出面を覆うよう前記中皿に装着される構成とされており、装着状態において前記露出面と対向しこれを保護する蓋部と、前記装着状態において前記中皿の底面が露出された状態で該中皿を保持する保持部とを有する装着部と前記中皿が前記装着部に装着された状態において前記中皿と係合し、前記装着部からの前記中皿の離脱を防止する係合部と、を具備することを特徴とするレフィル容器
【請求項２】  
請求項１記載のレフィル容器において、
前記装着部の外周縁に折り返し部を形成すると共に、前記中皿が前記装着部に装着された状態において前記折り返し部の折り返し端部が前記中皿の底面から突出する構成としたことを特徴とするレフィル容器
（２）「【０００１】
【発明の属する技術分野】本発明はレフィル容器に係り、特に化粧料が装填された中皿を収納し保護するレフィル容器に関する。」
（３）「【００２９】
このレフィル容器１０Ａは、例えば真空成型法或いはインジェクション（射出成型）法等を用いることにより樹脂を一体成型したものであり
（４）「【００３２】
装着部２０Ａは、化粧料１２が装填された中皿１１Ａを装着する部位であり、概略的に見て有底形状とされている。この装着部２０Ａは、保持部２３Ａ，蓋部２４，段部２５等を有した構造とされている
（５）「【００４１】また、
折り返し部２２の折り返し部分となる図中下方の端部２７は、装着状態にある中皿１１Ａの中皿底面１３に対し下方に所定量（図３に矢印Ｈ２で示す）だけ突出するよう構成されている。更に、折り返し部２２の所定位置には、窪み形状とされた指掛け部２８Ａが形成されている。
【００４２】前記したように、
装着状態において中皿１１Ａの係合溝１４は係合部２１Ａに係合されているが、中皿１１Ａをレフィル容器１０Ａから取り出す時には、この指掛け部２８Ａを介して直接中皿１１Ａを把持し、中皿１１Ａをレフィル容器１０Ａから引き抜く。よって、保持部２３Ａの外周に折り返し部２２が形成されていても、指掛け部２８Ａを設けることにより、中皿１１Ａをレフィル容器１０Ａからと取り出す作業を容易に行なうことができる。
（６）「【００９２】また、図２５に示すレフィル容器１０Ｈのように、一般にエマルジョンパクトタイプの
中皿１１Ｃは開口部の外周縁に鍔部１６を形成した構成とされている。このような鍔部１６を有する中皿１１Ｃであっても、係合部２１Ｃを上部に位置させることにより、確実に装着部２０Ｈに装着することができる。
　
　前記（１）ないし（５）に摘記した事項及び【図１】ないし【図３】の図示内容を踏まえると、引用文献２には、次の事項（以下、「引用文献２事項１」という。）が記載されているといえる。
　
《引用文献２事項１》
　真空成型法或いはインジェクション（射出成型）法等を用いることにより樹脂を一体成型したものであって、化粧料１２が装填された中皿１１Ａを収納するレフィル容器１０Ａにおいて、
　前記化粧料１２が露出した露出面を覆うよう前記中皿１１Ａに装着される構成とされており、装着状態において前記露出面と対向しこれを保護する蓋部２４と段部２５とを有し、前記装着状態において前記中皿１１Ａの中皿底面１３が露出された状態で該中皿１１Ａを保持する装着部２０Ａと、
　前記中皿１１Ａが前記装着部２０Ａに装着された状態において前記中皿１１Ａと係合し、前記装着部２０Ａからの前記中皿１１Ａの離脱を防止する係合部２１Ａと、を具備し、
　前記装着部２０Ａの外周縁に折り返し部２２を形成すると共に、前記折り返し部２２の所定位置に窪み形状とされた指掛け部２８Ａを形成し、
　前記中皿１１Ａが前記装着部２０Ａに装着された状態において前記折り返し部２２の折り返し端部２７が前記中皿１１Ａの中皿底面１３に対し下方に所定量Ｈ２だけ突出するよう構成し、
　前記中皿１１Ａをレフィル容器１０Ａから取り出す時には、この指掛け部２８Ａを介して直接中皿１１Ａを把持し、中皿１１Ａをレフィル容器１０Ａから引き抜くこと。
　
　さらに、前記（６）に摘記した事項及び【図２５】の図示内容を踏まえると、引用文献２には、次の事項（以下、「引用文献２事項２」という。）が記載されているといえる。
　
《引用文献２事項２》
　引用文献２事項１において、中皿を、鍔部１６を有する中皿１１Ｃとした場合であっても、係合部２１Ｃを上部に位置させることにより、確実に装着部２０Ｈに装着すること。
　
３．原査定の拒絶の理由に引用した実願昭６１−８３５０１号（実開昭６２−１９４５５６号）のマイクロフィルム（以下、「引用文献３」という。）には、「ワンタッチキャップ」の考案に関して、図面とともに以下の事項が記載されている。
（１）「本考案のワンタッチキャップは、キャップ本体１と、このキャップ本体１上面部に配設された操作部材２との２部品からなる。
　キャップ本体１は、延長周壁３ａの後部側をカットして低くし、押ボタン８の押下げ動作を容易にしており、このカット部の延長周壁３ａ上端内側に係合突条１３を突設し、容器体１２の口頭部１４にねじ込みで装着されている。
　操作部材２のノズル筒１０は、常時は第１図のように連通筒６の上部により内部通路、つまりノズル孔がしゃ断され閉栓状態にあるが、この場合頂板裏面から垂設した環栓１５が連通筒６に内嵌して更に閉栓状態を確実にしており、また押ボタン８の後部垂下壁下端外面に前記係合突条１３に係合する係合突条１６を突設して上方への抜け出しを防いでいる。１７はノズル筒１０の上部開口端から垂下した案内片であるが、これは必ずしも設けずともよい。また
押ボタン８、注出部９上面にはそれぞれ開、閉の文字表示をし、
。
　
　前記（１）に摘記した事項及び第２図、第３図の図示内容を踏まえると、引用文献３には、次の事項（以下、「引用文献３事項」という。）が記載されているといえる。
　
《引用文献３事項》
　押下げ動作する押ボタン８上面及び注出部９上面に、それぞれ開、閉の文字表示をすること。
　
４．原査定の拒絶の理由に引用した実願昭５１−２５２９１号（実開昭５２−１１８７３５号）のマイクロフィルム（以下、「引用文献４」という。）には、「カツプ容器に装着及び脱着の容易にできる密封蓋体」の考案に関して、図面とともに以下の事項が記載されている。
（１）「第１図は、カツプ容器１の口縁部２が角丸の形状である場合におけるこの考案の蓋体構造を示す。
３は、プラスチツク板等の可撓体で形成した蓋体であつて、蓋体３の中央には平坦部４を形成し、該平坦部４の外周には額出しを設け、その外周面が口縁部２の内周面に密着するような立上り部５を形成し、また立上り部５の上端部からは、その下面が口縁部２の上面に密着するような鍔部６を延設する。
更に、鍔部６の下面には、内壁７と外壁８とからなる係止部９を鍔部６の周縁に沿つて適宜間隔に形成する。
係止部９の内壁７は、その壁面が口縁部２の外周面に密着するように垂下させ
そして、蓋体３を容器１の開口部に冠着する場合には、立上り部５の外周面と係止部９の前壁面の間隔１２に口縁部２を押込むことによつて行われるが、この場合、内壁７は外方に押開かれて口縁部２を上記間隔１２に挿入され、同時にこれと一体にして折返し状に形成された外壁８の付勢力により復元し、口縁部２の外周面に密着するとともに、その下端に形成された爪１０が口縁部２の下面に係合する。」（明細書４頁１２行ないし５頁１９行）
　
　前記（１）に摘記した事項及び第１図の図示内容を踏まえると、引用文献４には、次の事項（以下、「引用文献４事項」という。）が記載されているといえる。
　
《引用文献４事項》
　プラスチツク板等の可撓体で形成した蓋体３において、その中央には平坦部４を形成し、該平坦部４の外周には額出しを設け、その外周面が口縁部２の内周面に密着するような立上り部５を形成し、また立上り部５の上端部からは、その下面が口縁部２の上面に密着するような鍔部６を延設し、更に、鍔部６の下面には、内壁７と外壁８とからなる係止部９を鍔部６の周縁に沿つて適宜間隔に形成し、係止部９の内壁７は、その壁面が口縁部２の外周面に密着するように垂下させて形成すること。
　
５．原査定の拒絶の理由に引用した実公昭４７−３０６８号公報（以下、「引用文献５」という。）には、「プラスチツク容器」の考案に関して、図面とともに以下の事項が記載されている。
（１）「蓋１の角部２を構成する２辺の側体３，４の内面に角部に接近して小突起５を突設し、本体６の側壁８，９の上部嵌合部１０，１１の外面と前記小突起５とを接触するようにしたプラスチツク容器。」（１頁２欄２３ないし２７行）
　
　前記（１）に摘記した事項及び第２図、第３図の図示内容から本体６の側壁８，９の上部嵌合部１０，１１が前記側壁８，９よりも薄く形成されていることが看取されることを踏まえると、引用文献５には、次の事項（以下、「引用文献５事項」という。）が記載されているといえる。
　
《引用文献５事項》
　蓋１の角部２を構成する２辺の側体３，４の内面に角部に接近して小突起５と接触するようにされた、本体６の側壁８，９の上部嵌合部１０，１１を前記側壁８，９よりも薄く形成すること。
　
６．原査定の拒絶の理由に引用した実願昭６２−３５６５３号（実開昭６３−１４４４５４号）のマイクロフィルム（以下、「引用文献６」という。）には、「気密容器」の考案に関して、図面とともに以下の事項が記載されている。
（１）「第２図の気密係合部５は、容器本体１側の突条３を容器本体１口縁の内側に位置して設け、蓋体２の突条４を蓋体２の周縁外側に位置して設けるとともに、両突条３，４が嵌合するとき互いに密嵌可能なように容器本体１側の突条３外面には膨出部６を、又蓋体２の突条４内面には前記膨出部６を受け入れる為の凹部７を形成してなる。」（明細書５頁９ないし１６行）
（２）「・・・第４図のものは第２図の容器本体１口縁の内面に形成した突条３の膨出部６２を変化せしめた他の実施例であり、・・・」（明細書６頁６ないし８行）
　
　前記（１）及び（２）に摘記した事項及び第２図、第３図の図示内容から蓋体２の突条４の凹部７が形成されている箇所は前記突条４の他の箇所よりも薄く形成されていることが看取されることを踏まえると、引用文献６には、次の事項（以下、「引用文献６事項」という。）が記載されているといえる。
　
《引用文献６事項》
　容器本体１側の突条３の膨出部６と密嵌可能な蓋体２の突条４の凹部７が形成されている箇所を前記突条４の他の箇所よりも薄く形成すること。
　
７．原査定の拒絶の理由に引用した特開２０１０−１０５７号公報（以下、「引用文献７」という。）には、「包装用容器及び包装食品」の発明に関して、図面とともに以下の事項が記載されている。
（１）「【００１６】
  
本実施形態に係る容器本体１０は、
合成樹脂シートが用いられて形成されており、該合成樹脂シートを用いた熱成形法によって成形されたものである。
（２）「【００１８】
・・・
本実施形態に係る容器本体１０の周壁１０２は、上下方向に延びる中心線（図示しない）に対して外側に所定角度で傾斜し、下端から上方に向けて内部空間を拡大させる第一拡大部１０２ａと、第一拡大部１０２ａの上端縁よりもわずかに外側に延出した後に、その地点から垂直（前記中心線に対して平行）に起立する第二拡大部１０２ｂとで構成されており、第一拡大部１０２ａと第二拡大部１０２ｂとが連続するように形成されている。
そして、第一拡大部１０２ａが角部に切欠が設けられた長方形であったのに対して、この第二拡大部１０２ｂの上面視における形状は、角部に丸みが設けられた長方形となっており、この第二拡大部１０２ｂの上端縁によって略矩形状に前記開口１００が画定されている。
・・・
【００１９】
本実施形態に係る鍔部１０３は、周壁１０２の上端全周に亘って連続的に形成されている。これにより、鍔部１０３は、上面視環形状に形成されている。また、この鍔部１３が、角部に丸みが設けられた長方形の開口１００を囲む状態に形成される
・・・
【００２０】
前記鍔垂下部１０５は、開口縁部１０４の外縁から周壁１０２の第一拡大部１０２ａの上端よりもわずかに上側となる位置まで垂下する第一鍔垂下部１０５ａと、該第一鍔垂下部１０５ａの下端縁からわずかに外側の地点から第一拡大部１０２ａの上端と底部１０１からの高さが略同等となる位置まで垂下する第二鍔垂下部１０５ｂと、該第二鍔垂下部１０５ｂの下端部から外方に延出し、その延出方向先端部が鍔部１０３の外周縁を画成する鍔外縁部１０６とを備えており、本実施形態に係る鍔部１０３は、第一鍔垂下部１０５ａ
と、その下端縁から第二鍔垂下部１０５ｂの上端縁まで外側に延出する部分と、第二鍔垂下部１０５ｂと、鍔外縁部１０６とが連続するように形成されている。
　
　前記（１）及び（２）に摘記した事項及び【図４】、【図５】の図示内容から、容器本体１０は、合成樹脂シートを用いた熱成形法によって成形されたものであること、容器本体１０の周壁１０２の第二拡大部１０２ｂと連続して形成された鍔部１０３は、周壁１０２の上端全周に亘って連続的に、開口１００を囲む状態に形成されること、鍔部１０３の開口縁部１０４は、第二拡大部１０２ｂから外側に張りして形成されること、鍔部１０３の鍔垂下部１０５は、開口縁部１０４の外縁から垂下するよう形成されるものであること、が看取されること、を踏まえると、引用文献７には、次の事項（以下、「引用文献７事項」という。）が記載されているといえる。
　
《引用文献７事項》
　合成樹脂シートを用いた熱成形法によって成形された容器本体１０において、前記容器本体１０の周壁１０２の第二拡大部１０２ｂと連続して、前記周壁１０２の上端全周に亘って連続的に開口１００を囲む状態形成された鍔部１０３を備え、前記鍔部１０３の開口縁部１０４を、前記第二拡大部１０２ｂから外側に張りして形成し、前記鍔部１０３の鍔垂下部１０５を、前記開口縁部１０４の外縁から垂下するよう形成すること。
　
第６．対比、判断
１．本願発明１について
（１）対比
　引用発明の「合成樹脂シートを使用して真空または圧空成形したもの」は、その構成、機能及び技術的意義からみて、本願発明１の「シート成形品」に相当し、同様に、「収納物」は「内容物」に、「容器本体１００」は「受皿」に、「蓋体２０」は「蓋」に、それぞれ相当する。
　
　引用発明の「上縁フランジ１１」及び前記「スカート部１５」は、蓋体２０と容器本体１０の嵌合時に、前記容器本体１０の上縁フランジ１１上に位置することになる「蓋フランジ２２」と「係止部２１」とに、抱え込まれた状態で係止されるものであるから、前記「上縁フランジ１１」及び前記「スカート部１５」は、本願発明１の「受皿側張出し係止部」に相当し、引用発明の「蓋フランジ２２」及び「係止部２１」は、本願発明１の「蓋側張出し係止部」に相当する。
　そして、引用発明の「指掛部２８」は、係止部２１から下方に延設して設けられたものという点で、本願発明１の「延設載置部」に対応するものであることを踏まえると、
　引用発明の「前記蓋体２０は、前記容器本体１０の上面開口を覆う押下部２３と、この押下部２３の内端に位置する境界線部２４を介して蓋上面２６に向けて立ち上がる傾斜側壁２５とを備えるとともに、前記押下部２３から外側に張り出して設けられ、前記蓋体２０と前記容器本体１０の嵌合時に、前記容器本体１０の上縁フランジ１１上に位置することになる蓋フランジ２２と、前記上縁フランジ１１及び前記スカート部１５を抱え込んだ状態で係止する係止部２１を備えると共に、該係止部２１から下方に延設して設けられた指掛部２８を備えており」と、
　本願発明１の「前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた延設載置部を備えており」とは、
　「前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた部分を備えており」という限りにおいて一致する。
　
　そして、引用発明における「蓋上面２６を押圧したとき、その押圧力が前記傾斜側壁２５及び境界線部２４を介して前記押下部２３に伝えられ、この押下部２３の押下によって前記蓋フランジ２２を前記上縁フランジ１１から浮き上がらせ、これにより、前記係止部２１による係止を解除して蓋開封を行えるようにした」ことは、「蓋フランジ２２」及び「係止部２１」によって「上縁フランジ１１」及び「スカート部１５」を係止した係止状態が、「蓋上面２６」に上方から押圧力を加えることによって、「蓋フランジ２２」が「上縁フランジ１１から浮き上がる」という変形をおこすことによって解除されることを意味するものと解されることを踏まえると、
　引用発明の「前記蓋上面２６を押圧したとき、その押圧力が前記傾斜側壁２５及び境界線部２４を介して前記押下部２３に伝えられ、この押下部２３の押下によって前記蓋フランジ２２を前記上縁フランジ１１から浮き上がらせ、これにより、前記係止部２１による係止を解除して蓋開封を行えるようにした」と、
　本願発明１の「前記蓋側張出し係止部によって前記受皿側張出し係止部を係止した前記受皿の係止状態は、前記延設載置部を平坦な載置面に載置して、前記蓋を介して前記受皿を平坦な載置面に支持させた状態で、前記蓋に上方から押圧力を加えることによる、前記蓋側張出し係止部の変形によって、前記受皿側張出し係止部を押し出すことで、解除されるようになっており、係止状態が解除された前記受皿は、前記受皿本体部の上面開口の開口周縁部から外側に張り出して設けられた前記受皿側張出し係止部が、前記蓋側張出し係止部の下方に至るまで前記載置面に落とし込まれて、前記蓋から離間される」とは、
　「前記蓋側張出し係止部によって前記受皿側張出し係止部を係止した前記受皿の係止状態は、前記蓋に上方から押圧力を加えることによる、前記蓋側張出し係止部の変形によって、解除されるようになっている」という限りにおいて一致する。
　
　以上を踏まえると、本願発明１と引用発明との一致点、相違点は、以下のとおりである。
《一致点》
　受皿本体部に内容物を収容したシート成形品である受皿と、該受皿本体部の上面開口を覆って装着されるシート成形品である蓋とからなる受皿容器であって、
　前記受皿は、前記受皿本体部の上面開口の開口周縁部から外側に張り出して設けられた受皿側張出し係止部を備えており、
　前記蓋は、前記受皿本体部の上面開口を覆う蓋本体部から外側に張り出して設けられ、前記受皿側張出し係止部を抱え込んだ状態で係止させる蓋側張出し係止部を備えると共に、該蓋側張出し係止部から下方に延設して設けられた部分を備えており、
　前記蓋側張出し係止部によって前記受皿側張出し係止部を係止した前記受皿の係止状態は、前記蓋に上方から押圧力を加えることによる、前記蓋側張出し係止部の変形によって、解除されるようになっている、受皿容器。
　
《相違点１》
　本願発明１では、「蓋側張出し係止部から下方に延設して設けられた部分」が、「延設載置部」であって、該「延設載置部」の下端は、「前記蓋が前記受皿に装着された状態において」、「前記受皿の前記受皿本体部の底壁部よりも下方に配置され」たものであり、「前記蓋側張出し係止部によって前記受皿側張出し係止部を係止した前記受皿の係止状態は、前記蓋に上方から押圧力を加えることによる、前記蓋側張出し係止部の変形によって、解除されるようになっている」ことが、「前記延設載置部を平坦な載置面に載置して、前記蓋を介して前記受皿を平坦な載置面に支持させた状態で、前記蓋に上方から押圧力を加えることによる、前記蓋側張出し係止部の変形によって、前記受皿側張出し係止部を押し出すことで、解除されるようになっており、係止状態が解除された前記受皿は、前記受皿本体部の上面開口の開口周縁部から外側に張り出して設けられた前記受皿側張出し係止部が、前記蓋側張出し係止部の下方に至るまで前記載置面に落とし込まれて、前記蓋から離間される」ことであるのに対し、
　引用発明では、「蓋側張出し係止部から下方に延設して設けられた部分」が、「指掛部２８」であり、「蓋体２０」が「容器本体１０」に装着された状態において、前記「指掛部２８」の下端が前記「容器本体１０」の底壁よりも下方に配置されるとは規定されておらず、「前記蓋側張出し係止部によって前記受皿側張出し係止部を係止した前記受皿の係止状態は、前記蓋に上方から押圧力を加えることによる、前記蓋側張出し係止部の変形によって、解除されるようになっている」ことが、前記「指掛部２８」を平坦な載置面に載置して、前記「蓋体２０」を介して前記「容器本体１０」を平坦な載置面に支持させた状態で行われ、係止状態が解除された前記「容器本体１０」は、「上縁フランジ１１」及び「スカート部１５」が、「蓋フランジ２２」及び「係止部２１」の下方に至るまで前記載置面に落とし込まれて、前記「蓋体２０」から離間されるとは、規定されていない点。
　
《相違点２》
　本願発明１の「蓋側張出し係止部は、「前記蓋の他の部分と比較して厚さが薄くなっていると共に、前記蓋本体部との接続角部から上方に立設する内壁部と、内壁部の上端縁部から外側に張り出す上壁部と、上壁部の外側縁部から下方に延設する外壁部とからな」るものであるのに対し、引用発明の「蓋フランジ２２」及び「係止部２１」は、そのような規定がされたものではない点。
　
（２）判断
　相違点１について検討する。
　引用文献１事項ないし引用文献７事項は、上記第５．１．ないし７．に示したとおりであるところ、引用文献２事項１の「化粧料１２」は、本願発明１の「内容物」に対応するものであり、同様に「中皿１１Ａ」は「受皿」に、「装着部２０Ａ」は「蓋」に、「レフィル容器１０Ａ」は「受皿容器」に、「係合部２１Ａ」は「蓋側張出し係止部」に、「折り返し端部２７」は「延設載置部」に、「記中皿１１Ａが前記装着部２０Ａに装着された状態において前記折り返し部２２の折り返し端部２７が前記中皿１１Ａの中皿底面１３に対し下方に所定量Ｈ２だけ突出するよう構成し」は「前記蓋が前記受皿に装着された状態において、前記蓋の前記延設載置部の下端部は、前記受皿の前記受皿本体部の底壁部よりも下方に配置されており」に、対応するものである。
　しかし、引用文献２事項１の「レフィル容器１０Ａ」は、「真空成型法或いはインジェクション（射出成型）法等を用いることにより樹脂を一体成型したもの」である点で、「シート成形品」である「受皿」と、「蓋」とからなる「受皿容器」である本願発明１とは、異なるものであるし、また、上記「レフィル容器１０Ａ」は、「指掛け部２８Ａを介して直接中皿１１Ａを把持し、中皿１１Ａをレフィル容器１０Ａから引き抜くこと」により、「中皿１１Ａ」が、「装着部２０Ａ」から離間されるものであって、「折り返し端部２７」を平坦な載置面に載置して、この状態で、「装着部２０Ａ」に上方から押圧力を加えることにより「係合部２１Ａ」の係合を解くものはない点においても、本願発明１とは異なるものである。
　そして、引用発明の「指掛部２８」は、上記第５．１．（３）に示したように、「指を掛けて蓋体２０の開封を行う」ものであるところ、この「指掛部２８」を平坦な載置面に載置し得るように、下方に延長して「延設載置部」に変更することは、前記「指を掛けて蓋体２０の開封を行う」ことを妨げることというべきである。
　ゆえに、たとえ、上記引用文献２事項１に接した当業者であっても、引用発明における「指掛部２８」を平坦な載置面に載置し得るように、下方に延長して「延設載置部」に変更し、上記相違点１に係る本願発明１の発明特定事項の如くその構成を変更することは、容易になし得たこととはいえない。
　さらに、上記引用文献１事項ないし引用文献７事項も、引用発明の構成を、上記相違点１に係る本願発明１の発明特定事項の如く、変更することを開示するものではないし、引用文献１ないし引用文献７のその余の記載も、上記のような変更を示唆するものではない。
　
　そして、本願発明１は、上記相違点１に係る発明特定事項を備えることにより、本願明細書の段落【００１１】及び【００６４】等に記載された「簡易な構成及び簡易な操作によって、内容物を飛散させたり漏れ出させたりすることなく、内容物を封入した容器を容易に開封することができると共に、詰め替え用の容器として好適に用いることができる」という格別な作用効果を奏するものである。
　
（３）小括
　したがって、本願発明１は、上記相違点２について検討するまでもなく、引用発明及び引用文献１事項ないし引用文献７事項に基いて、その優先日前に当業者が容易に発明をすることができたものであるとはいえない。
　
２．本願発明２ないし１２について
　本願発明２ないし１２は、本願発明１の発明特定事項の全てを発明特定事項とし、さらに、技術的な限定を加える事項を発明特定事項として備えるものであるから、上記本願発明１についての判断と同様の理由により、引用発明及び引用文献１事項ないし引用文献７事項に基いて、その優先日前に当業者が容易に発明することができたものとはいえない。
　
３．本願発明１３について
　本願発明１３は、「受皿」が「内容物が収容される」点で、「内容物を収容した」本願発明１の「受皿」とは異なるのみであり、その余については、本願発明１と同様の事項をその発明特定事項とするものであるから、上記本願発明１についての判断と同様の理由により、引用発及び、引用文献１事項ないし引用文献７事項に基いて、その優先日前に当業者が容易に発明することができたものとはいえない。
　
第７．むすび
　以上のとおり、本願発明１ないし１３は、引用発明及び引用文献１事項ないし引用文献７事項に基いて、その優先日前に当業者が容易に発明することができたものとはいえない。
　したがって、原査定の理由によっては、本願を拒絶することはできない。
　また、他に本願を拒絶すべき理由を発見しない。
　よって、結論のとおり審決する。